(57)【要約】【課題】  よりクッション性、柔軟性、強度、通気性、マッサージ効果、及び抗菌性等に優れた靴の中敷を提供する。【解決手段】  二次元方向に伸張する紙を素材とした靴の中敷。この二次元方向に伸張する紙の面上に多数の凹凸部を備え、隣接する凹凸部間の距離を凹部又は凸部の直径の１／５〜１／１．５とした。また、凹凸部における凹凸間の高さを、二次元方向に伸張する紙の厚さの１０〜５０倍とした。さらに、二次元方向に伸張する紙の厚さを、０．１〜２．０ｍｍとした。また、この二次元方向に伸張する紙を、二層以上に積層し、この紙の間に、抗菌、消臭、吸湿シート又はパウダーを挟み込んだ。【選択図】  図２
2007007088.tif 000002
【特許請求の範囲】
【請求項１】
二次元方向に伸張する紙を素材としたことを特徴とする靴の中敷。
【請求項２】
前記二次元方向に伸張する紙が、当該紙の面上に多数の凹凸部を備えたことを特徴とする請求項１記載の靴の中敷。
【請求項３】
隣接する前記凹凸部間の距離を凹部又は凸部の直径の１／５〜１／１．５としたことを特徴とする請求項２記載の靴の中敷。
【請求項４】
前記凹凸部における凹凸間の高さが、前記二次元方向に伸張する紙の厚さの１０〜５０倍であることを特徴とする請求項２又は３記載の靴の中敷。
【請求項５】
前記二次元方向に伸張する紙の厚さが、０．１〜２．０ｍｍであることを特徴とする請求項１〜４のいずれかに記載の靴の中敷。
【請求項６】
前記二次元方向に伸張する紙を、二層以上に積層したことを特徴とする請求項１〜５のいずれかに記載の靴の中敷。
【請求項７】
前記積層した二次元方向に伸張する紙の間に、抗菌、消臭、吸湿の少なくとも一つの機能を有するシート又はパウダーを挟み込んだことを特徴とする請求項６記載の靴の中敷。
【請求項８】
前記二次元方向に伸張する紙が、抗菌剤及び／又は消臭剤を染み込ませたものであることを特徴とする請求項１〜７のいずれかに記載の靴の中敷。
【発明の詳細な説明】
【技術分野】
【０００１】
本発明は、二次元方向に伸張する紙（以下、伸張紙と称する場合がある。）を素材とした靴の中敷に関し、特に、二次元方向に伸張する紙の面上に多数の凹凸部を備えた靴の中敷に関する。
【背景技術】
【０００２】
従来、靴の中敷として、種々のものが提案されている。特に、通気性や緩衝性、コスト性、環境保全性等を考慮して、紙を素材とする靴の中敷なども提案されている。
例えば、特許文献１には、平板上ライナー材と波形段を形成した段材が貼合された積層紙からなる通気性や圧縮強度などに優れた通気性クッション材であって、靴の中敷等として有用なものが記載されている。
また、特許文献２には、セラミックスがコーティングされた紙製のライナーと、このライナーの裏面に積層された波形加工紙とから構成された靴の中敷が記載されている。
【０００３】
【特許文献１】特開平８−１６９０６９号公報
【特許文献２】特開２００１−２８６３０４号公報
【発明の開示】
【発明が解決しようとする課題】
【０００４】
しかしながら、特許文献１に記載の通気性クッション材は、片面ダンボールが備えた波形段により緩衝性を付与するものであるため、そのクッション効果は必ずしも十分に高いものとはいえず、柔軟性や強度などにおいても改善の余地があった。
また、特許文献２に記載の靴の中敷は、セラミックスにより保温性、抗菌性等を付与し、ダンボール紙などと同様の波形加工紙によって、保温性、通気性等を付与したものであるが、紙製ライナーにはセラミックスがコーティングされているため、その通気性には改善の余地があるとともに、ライナーの裏面に波形加工紙を積層した構成のみでは、そのクッション性は十分なものとはいえない。
【０００５】
そこで、本発明の発明者らは、鋭意検討した結果、靴の中敷の素材として伸張紙を用いることで、よりクッション性や柔軟性、通気性等に優れた靴の中敷を製造することに成功し、本発明を完成させた。
すなわち、本発明は、伸張紙を素材とし、また、この伸張紙に凹凸部を構成することで、クッション性、柔軟性、強度、通気性、及びマッサージ効果等に優れた靴の中敷を提供することを目的とする。
【課題を解決するための手段】
【０００６】
上記目的を達成するため、本発明の靴の中敷は、二次元方向に伸張する紙を素材としてある。
本発明において使用する二次元方向に伸張する紙としては、例えばイタリア国カリオローラ社製の、縦方向に２０％以上、横方向に１０％以上伸張する伸張紙を用いることができる。このような伸張紙は、紙全体に波状のしわを備え、優れた伸張性や、一般的な紙に比較して高い強度を備えている。
このようにすると、クッション性、柔軟性、及び強度に優れた靴の中敷を提供することが可能となる。
【０００７】
また、本発明の靴の中敷は、二次元方向に伸張する紙の面上に多数の凹凸部を備えた構成としてある。
靴の中敷をこのような構成にすれば、凹凸部によって、そのクッション性をより高めることができるとともに、通気性を向上でき、また、足の裏をマッサージする効果を得ることも可能となる。
【０００８】
また、本発明の靴の中敷は、隣接する凹凸部間の距離を凹部又は凸部の直径の１／５〜１／１．５としてある。
隣接する凹凸部を連続して設けた場合には、凹凸間の強度が低下し、凹凸間において折れ曲がりやすく、靴の中敷の強度が低下する。また、隣接する凹凸部間の距離が大きすぎる場合には、二次元方向に伸張する紙の平面に対して垂直な方向の押圧に対する強度が低下する。
本発明によれば、隣接する凹凸部の距離を上記のようにすることによって、靴の中敷の強度を向上できるとともに、そのクッション性、通気性、及びマッサージ効果を優れたものとすることが可能となる。
【０００９】
また、本発明の靴の中敷は、凹凸部における凹凸間の高さが、二次元方向に伸張する紙の厚さの１０〜５０倍としてある。
また、本発明の靴の中敷は、二次元方向に伸張する紙の厚さが、０．１〜２．０ｍｍとしてある。
【００１０】
靴の中敷をこのような構成にすれば、凹凸部にもとづくクッション性、通気性、及びマッサージ効果を最適なものとすることができる。
すなわち、二次元方向に伸張する紙の厚さを上記のようなものにするとともに、凹凸間の高さを紙の厚さに対して上記のような大きさとすることで、優れたクッション性等を得ることが可能となる。
なお、「凹凸間の高さ」とは、凹部頂点から二次元方向に伸張する紙の平面までの距離と、凸部頂点から二次元方向に伸張する紙の平面までの距離の合計値を意味する。
【００１１】
また、本発明の靴の中敷は、二次元方向に伸張する紙を、二層以上に積層した構成としてある。
靴の中敷をこのような構成にすれば、その強度を高めることが可能となる。このため、例えば運動を行う際に用いる場合や、より長期間の使用に耐えるものとする場合には、多数の伸張紙を積層した構成とすることにより、その目的に適した靴の中敷を提供することが可能となる。
【００１２】
また、本発明の靴の中敷は、積層した二次元方向に伸張する紙の間に、抗菌、消臭、吸湿の少なくとも一つの機能を有するシート又はパウダーを挟み込んだ構成としてある。
また、本発明の靴の中敷は、二次元方向に伸張する紙に抗菌剤及び／又は消臭剤を染み込ませた構成としてある。
【００１３】
靴の中敷をこのような構成にすれば、靴の中で雑菌が繁殖することを抑制でき、水虫や悪臭の発生を防止することが可能となる。
また、二次元方向に伸張する紙は、全体に波状のしわを備えているため、抗菌、消臭、吸湿用のパウダーは、紙の間で移動しにくい。このため、靴の中敷において、パウダーが偏りにくく、全体に均一に保持することができる。
さらに、二次元方向に伸張する紙に多数の凹凸部を備えた場合、各凹凸部に抗菌、消臭、吸湿用のパウダーを保持させやすく、靴の中敷全体にバランス良く抗菌性を付与することができる。このため、靴の中敷の悪臭防止効果をより高めることが可能となる。
【発明の効果】
【００１４】
本発明によれば、伸張紙を素材とした靴の中敷を提供することができる。このため、従来の靴の中敷に比較して、よりクッション性、柔軟性、及び強度の高い靴の中敷を提供することが可能となる。
また、伸張紙に凹凸部を形成することで、そのクッション性を一層向上させることができるとともに、高い通気性、及びマッサージ効果等を有する靴の中敷を提供することも可能となる。
さらに、本発明の靴の中敷は、紙を素材とするため、低コストであり、短期間で使い捨てが可能であることから、衛生的である。また、焼却可能であることから、環境保全性にも優れている。特に、伸張紙に凹凸部を形成する場合には、靴の中敷を、接着剤を用いることなく、圧着により積層することができるため、より環境にやさしいものとすることが可能である。
【発明を実施するための最良の形態】
【００１５】
以下、本発明の実施形態について具体的に説明する。
［伸張紙］
まず、本発明の実施形態に係る靴の中敷の素材に用いる伸張紙について説明する。
本発明の実施形態で使用する伸張紙としては、特許第３４０７１１４号公報に記載された「伸長可能な紙の製造法」により製造されたものなどを使用することができる。
具体的には、植物繊維混合物を混練機に供給して、この混合物を混練機中で水と混合し、摩擦により繊維をこう解して３０°ＳＲ以上のこう解度を有するパルプを得て、こう解されたパルプを流送箱に移送する。
【００１６】
こう解されたパルプを流送箱から紙匹形成布に供給して重力と真空により水分を連続的に減少させ、紙匹をプレスして更に連続して水分を減少させ、最初の乾燥で予備成形された紙匹の水分を１５％から６５％の間にほぼ一定させる。
そして、硬い物質からなりその表面にリブを有し、もう一方より速い速度で回転するローラと、柔らかい物質からなり平滑な表面を有し、もう一方より遅い速度で回転するローラからなる一組のローラの間で圧縮し、最終の乾燥で水分を１５％から４％の間とし、つや出しする、という工程により製造された伸張紙とすることが好ましい。
【００１７】
また、本実施形態の靴の中敷の素材に用いる伸張紙としては、次のような特徴を備えたものを用いることが好ましい。
（１）優れた破裂強度を備え、伸張する二次元方向のうち破断伸びが大きい方の伸び特性が２０％以上、小さい方の伸び特性が１０％以上。
（２）プレス成形方式で連続成形ができる。
（３）植物繊維混合物からなるため、リサイクル性を備えるとともに、可燃ゴミとして廃棄処理ができる。
伸張紙をこのようなものすれば、靴の中敷に高いクッション性、柔軟性、及び強度を付与することができるとともに、そのコスト性及び環境保全性も優れたものとなる。
【００１８】
［第一実施形態］
次に、このような伸張紙を用いて製造した、本発明の第一実施形態の靴の中敷について、図１を参照して説明する。同図は、本実施形態の伸張紙を素材とした靴の中敷の外観構成を示す図である。
本実施形態の靴の中敷は、図１に示すように波状のしわが形成された伸張紙を素材としている。また、図１においては、靴の中敷の一部を拡大して、しわを明示している。
なお、同図は、右足についての靴の中敷の外観構成を示すものであるが、左足の靴の中敷の外観構成も同様のものとすることができる。
【００１９】
このように、本実施形態の靴の中敷に用いられる伸張紙には、伸張する方向のうちの一の方向（図１においては、縦方向）に、しわが形成されている。このしわは、伸張紙における伸張率の小さい方向（図１の場合、横方向）によせられている。したがって、しわのラインは伸張率の大きい方向（図１の場合、縦方向）に延びている。
ここで、しわの高さは、山部頂点と谷部底点の距離が０．４〜２．０ｍｍとなるようにすることが好ましい。また、紙の厚さは０．１〜１．０ｍｍとすることが好ましい。
靴の中敷をこのようにすると、クッション性、柔軟性、及び強度に優れたものとすることが可能となる。
なお、図１の例では、靴の中敷の縦方向にしわが形成されているが、横方向や斜め方向に形成することも勿論可能である。
【００２０】
［第二実施形態］
次に、本発明の第二実施形態の靴の中敷について、図２〜図４を参照して説明する。図２は、伸張紙に、さらに凹凸部を形成した本実施形態の靴の中敷の外観構成を示す図である。図３は、本実施形態の靴の中敷における凹凸部の拡大正面断面図である。図４は、本実施形態の靴の中敷における凹凸部の拡大平面図である。
【００２１】
本実施形態の靴の中敷は、図２に示すように、その表面上に、多数の凹凸部を備えており、これによって、靴の中敷に高いクッション性、通気性、及びマッサージ効果等を付与することが可能となっている。
なお、図２は、右足についての靴の中敷の外観構成を示すものであるが、左足の靴の中敷の外観構成も同様のものとすることができる。
【００２２】
これらの凹凸部は、図３に示すような構成となっている。すなわち、凹凸部における凹凸間の高さをｈ、伸張紙の厚さをｄとすると、これらの関係が、３０ｄ≦ｈ≦５０ｄとなるように構成することが好ましい。
凹凸間の高さｈと伸張紙の厚さｄとの関係をこのようにすると、凹凸部により靴の中敷のクッション性が向上するとともに、この凹凸を潰れにくく、変形しても元にもどりやすいものとすることができる。また、靴の中敷に高い通気性を付与することができるとともに、凹凸部による適切なマッサージ効果も得ることが可能となる。
このような観点から、凹凸間の高さｈと伸張紙の厚さｄとの関係を、３５ｄ≦ｈ≦４５ｄとすることがさらに好ましい。
【００２３】
また、本実施形態の靴の中敷の素材に用いる伸張紙としては、その厚さｄを０．１〜２．０ｍｍとすることが好ましい。伸張紙の厚さｄをこのようにすれば、凹凸部の形成を適切に行うことができる。
このような観点から、伸張紙の厚さｄを０．５〜１．５ｍｍとすることがさらに好ましい。
【００２４】
また、凹凸部における凹（凸）部の最大直径をａ、凹（凸）部の縁から凸（凹）部の縁までの最短距離をｂとすると、これらの関係が、（ａ／５）≦ｂ≦（ａ／１．５）となるように凹凸部を構成することが好ましい。凹（凸）部の直径ａと凹凸間の距離ｂとの関係をこのようにすると、靴の中敷の強度を向上できるとともに、そのクッション性、通気性、及びマッサージ効果を優れたものとすることが可能となる。
【００２５】
また、本実施形態の靴の中敷においては、しわのピッチを、図４に示すように、凹凸部における凹（凸）部の直径の１／２〜１／２０とすることが好ましい。すなわち、図３に示すように、１ピッチの大きさをｐとした場合に、１／２≦（ｐ／ａ）≦１／２０となるように、凹凸部を形成することが好ましい。
凹凸部におけるしわのピッチをこのようにすると、靴の中敷の柔軟性と、凹凸部の復元力のバランスを適度なものとすることができ、靴の中敷のクッション性をより向上させることが可能となる。
【００２６】
また、図２〜図４においては、凹部及び凸部の大きさが同一であるが、これらを互いに異なる大きさとすることもできる。
このとき、凹部又は凸部のうちのいずれか一方の大きい方の直径が、他方の小さい方の直径の１倍より大きく、１０倍以下である構成とすることが好ましい。
靴の中敷をこのような構成とすることにより、靴の中敷の表面及び裏面の凹部及び凸部を適切なサイズに調整することができ、用途に応じた最適なクッション効果等を得ることが可能となる。
【００２７】
さらに、凹凸部における凹部及び凸部の大きさを、一定範囲ごとに異なるものとすることもできる。例えば、凹部及び凸部の５個分を一組とし、このグループごとに、凹部及び凸部の直径を異なるものとすることもできる。勿論、この凹部又は凸部の直径の異なるグループは、２以上の多数であってかまわない。
この場合、凹凸のサイズが最大のグループにおける凹部又は凸部の直径が、凹凸のサイズが最小のグループにおける凹部又は凸部の直径の１倍より大きく、１０倍以下である構成とすることが好ましい。
【００２８】
靴の中敷をこのような構成とすることにより、靴の中敷の凹凸部を足の裏における位置に応じた適切なサイズに調整することができ、最適なクッション性や通気性等を実現することが可能となる。
例えば、足の指やかかとの部分など、靴の中敷において、より強く足の裏と接触する部分については、凹凸部のサイズを比較的小さくして、より弾力性を向上させ、土踏まずの部分など、靴の中敷において、足の裏に比較的強く押圧されることのない部分については、凹凸部のサイズを比較的大きくして、通気性の向上を優先させることなどが可能である。
【００２９】
このように、靴の中敷を上記のような構成とすれば、そのクッション性や通気性等をよりきめ細かく調整することが可能となる。
なお、凹部及び凸部の直径を異なるものとした場合、凹部及び凸部の高さを直径に比例させた大きさとすることが可能である。
【００３０】
また、本実施形態の靴の中敷は、凹凸部が形成された伸張紙を二以上に積層した構成とすることも好ましい。
靴の中敷をこのようにすれば、運動時に使用する場合や、より長期間の使用に耐え得るようにしたい場合など、より高い強度やクッション性が必要な場合には、伸張紙を複数積層することで、用途に応じた適切な強度等を得ることが可能となる。
【００３１】
特に、凹凸部が形成された伸張紙を二以上に積層する場合、重なった凹凸部が係合するため、二以上の伸張紙を圧着させることが容易であり、接着材を用いることなく、積層された靴の中敷を製造することができる。
このため、紙のみからなる環境保全性に優れた靴の中敷を提供することが可能となる。
勿論、伸張紙を積層させるにあたって、係合性をより高めるために、接着材を用いることもできる。この場合は、伸張紙を部分的に接着するだけで、十分に係合させることが可能である。
【００３２】
さらに、本実施形態の靴の中敷は、伸張紙に、抗菌剤や消臭剤、あるいは、これらの混合剤を染み込ませた構成とすることも好ましい。また、積層した伸張紙の間に、抗菌、消臭、吸湿の機能を有するシート又はパウダーを挟み込んだ構成とすることも好ましい。勿論、シート及びパウダーとしては、上記機能のいくつかを併有させた構成とすることもできる。
靴の中敷をこのようにすれば、靴の中での雑菌の繁殖を抑えることができるので、悪臭や水虫の発生を防止することが可能となる。
【００３３】
特に、本実施形態に係る伸張紙には全体に波状のしわが形成されているため、抗菌、消臭、吸湿等のパウダーを挟み込む場合、紙の間でパウダーが移動しにくい。このため、靴の中敷において、パウダーの偏りを防止し、全体に均一な抗菌性、消臭性をもたせることが可能となる。
また、本実施形態に係る靴の中敷には、多数の凹凸部が備えられているため、各凹凸部にパウダーを保持させやすく、靴の中敷全体にバランス良く抗菌性、消臭性を付与することができる。このため、靴の中敷の悪臭防止効果をより高めることが可能となる。
【００３４】
本発明は、以上の実施形態に限定されるものではなく、本発明の範囲内において、種々の変更実施が可能であることは言うまでもない。
例えば、本発明の靴の中敷に用いた伸張紙には、半球状の凹凸部を形成してあるが、この凹凸部を楕円の回転体の一部の形状や角柱状などとしてもかまわない。また、第一実施形態における靴の中敷を積層した構成とすることもできる。さらに、本発明の靴の中敷を、足の側面まで覆うことの可能なものとするなど適宜変更することが可能である。
【産業上の利用可能性】
【００３５】
本発明は、コスト性、環境保全性に優れ、高いクッション性、柔軟性、強度、通気性、マッサージ効果、及び抗菌性、消臭性、吸湿性を備えた靴の中敷の製造において、好適に利用することが可能である。
【図面の簡単な説明】
【００３６】
【図１】本発明の第一実施形態の靴の中敷の外観構成を示す図である。
【図２】本発明の第二実施形態の靴の中敷の外観構成を示す図である。
【図３】本発明の第二実施形態の靴の中敷における凹凸部の拡大正面断面図である。
【図４】本発明の第二実施形態の靴の中敷における凹凸部の拡大平面図である。
【図１】
2007007088.tif 000003
【図２】
2007007088.tif 000004
【図３】
2007007088.tif 000005
【図４】
2007007088.tif 000006